(57)【要約】【課題】ユーザが備える端末の近傍に存在する共用のコミュニケーション端末への着信を可能にする。【解決手段】着信先解決システム１０００は、着信端末１ｂの識別情報に対応付けて着信端末１ｂの位置情報が格納される着信端末位置データベース１１０、および、共用端末５の位置情報に対応付けて、共用端末５のアドレス情報が格納される共用端末データベース１２０を記憶する記憶部と、着信端末位置データベース１１０を参照して、着信端末１ｂの位置情報を検索する着信端末位置解決部１０１と、着信端末１ｂの位置情報で示される位置と同じ位置に存在する共用端末５を、共用端末データベース１２０を参照して検索する共用端末検索部１０２と、所定のロジックに基づき、１つ以上の共用端末５の中から着信先端末を決定する着信先端末決定部１０３とを備える。【選択図】図２
2017157896.tif 000002
【特許請求の範囲】
【請求項１】
着信端末の位置情報を取得する位置解決サーバと、共用のコミュニケーション端末を示す共用端末を管理する共用端末管理サーバと、前記着信端末の近傍に位置する前記共用端末を着信先端末として決定する着信先決定サーバと、を備える着信先解決システムであって、
前記位置解決サーバは、
前記着信端末の識別情報に対応付けて当該着信端末の位置情報が格納される着信端末位置データベースを記憶する記憶部と、
発信端末から前記着信端末の識別情報が付された通信要求を受信し、前記着信端末位置データベースを参照して、前記着信端末の位置情報を検索し、前記共用端末管理サーバに送信するとともに、
前記共用端末管理サーバから着信先の候補となる前記共用端末を示す共用端末情報を受信し、前記共用端末情報および前記着信端末の識別情報を含む着信先端末情報を生成し、前記着信先決定サーバに送信する着信端末位置解決部と、を備え、
前記共用端末管理サーバは、
前記共用端末の位置情報に対応付けて、前記共用端末のアドレス情報が格納される共用端末データベースを記憶する記憶部と、
前記着信端末の位置情報を受信し、当該位置情報で示される位置と同じ位置に存在する前記共用端末を、前記共用端末データベースを参照して検索し、検索した１つ以上の共用端末の前記アドレス情報を含む前記共用端末情報を生成し、前記位置解決サーバへ送信する共用端末検索部と、を備え、
前記着信先決定サーバは、
前記着信先端末情報を受信すると、所定のロジックに基づき、前記１つ以上の共用端末の中から着信先端末を決定し、決定した前記共用端末に前記通信要求を送信する着信先端末決定部を備える
ことを特徴とする着信先解決システム。
【請求項２】
前記所定のロジックは、
前記着信先端末決定部が、前記着信先端末情報で示される着信先端末候補の一覧を前記発信端末に送信し、その応答として着信先端末の指定情報を受信し、当該指定情報により指定された共用端末を、前記着信先端末に決定すること
を特徴とする請求項１に記載の着信先解決システム。
【請求項３】
前記所定のロジックは、
前記着信先端末決定部が、前記着信先端末情報で示される着信先端末候補の一覧を前記着信端末に送信し、その応答として着信先端末の指定情報を受信し、当該指定情報により指定された共用端末を、前記着信先端末に決定すること
を特徴とする請求項１に記載の着信先解決システム。
【請求項４】
前記共用端末データベースには、同一の位置に存在する前記共用端末それぞれに着信先として選択される優先順を示す優先度が付されており、
前記共用端末管理サーバの共用端末検索部は、前記検索した１つ以上の共用端末に付された前記優先度を含めて前記共用端末情報を生成し、
前記着信先決定サーバの前記着信先端末決定部は、前記所定のロジックとして、前記優先度の最も高い共用端末を、前記着信先端末に決定すること
を特徴とする請求項１に記載の着信先解決システム。
【請求項５】
着信端末の近傍に位置する、共用のコミュニケーション端末を示す共用端末を、着信先端末として決定する着信先解決サーバであって、
前記着信端末の識別情報に対応付けて当該着信端末の位置情報が格納される着信端末位置データベース、および、前記共用端末の位置情報に対応付けて、前記共用端末のアドレス情報が格納される共用端末データベースを記憶する記憶部と、
発信端末から前記着信端末の識別情報が付された通信要求を受信し、前記着信端末位置データベースを参照して、前記着信端末の位置情報を検索し、共用端末検索部に出力するとともに、
前記共用端末検索部から着信先の候補となる前記共用端末を示す共用端末情報を受信し、前記共用端末情報および前記着信端末の識別情報を含む着信先端末情報を生成し、着信先端末決定部に出力する着信端末位置解決部と、
前記着信端末の位置情報を取得し、当該位置情報で示される位置と同じ位置に存在する前記共用端末を、前記共用端末データベースを参照して検索し、検索した１つ以上の共用端末の前記アドレス情報を含む前記共用端末情報を生成し、前記着信端末位置解決部へ出力する前記共用端末検索部と、
前記着信先端末情報を受信すると、所定のロジックに基づき、前記１つ以上の共用端末の中から着信先端末を決定し、決定した前記共用端末に前記通信要求を送信する前記着信先端末決定部と、
を備えることを特徴とする着信先解決サーバ。
【請求項６】
着信端末の近傍に位置する、共用のコミュニケーション端末を示す共用端末を、着信先端末として決定する着信先解決サーバの着信先解決方法であって、
前記着信先解決サーバは、
前記着信端末の識別情報に対応付けて当該着信端末の位置情報が格納される着信端末位置データベース、および、前記共用端末の位置情報に対応付けて、前記共用端末のアドレス情報が格納される共用端末データベースを記憶する記憶部を備えており、
発信端末から前記着信端末の識別情報が付された通信要求を受信し、前記着信端末位置データベースを参照して、前記着信端末の位置情報を検索するステップと、
前記検索した着信端末の位置情報で示される位置と同じ位置に存在する前記共用端末を、前記共用端末データベースを参照して検索し、検索した１つ以上の共用端末の前記アドレス情報を含む共用端末情報を生成するステップと、
前記共用端末情報および前記着信端末の識別情報を含む着信先端末情報を生成するステップと、
前記着信先端末情報で示される前記１つ以上の共用端末の中から、所定のロジックに基づき着信先端末を決定し、決定した前記共用端末に前記通信要求を送信するステップと、
を実行することを特徴とする着信先解決方法。
【発明の詳細な説明】
【技術分野】
【０００１】
本発明は、ＩＰ（Internet Protocol）電話を実現する制御方式の１つであるＩＭＳ（IP Multimedia Subsystem）において、着信先となる端末の接続先を解決する、着信先解決システム、着信先解決サーバおよび着信先解決方法に関する。
【背景技術】
【０００２】
固定電話網や移動体通信網などのＩＰ網上でＩＰマルチメディア通知サービスを提供する技術であるＩＭＳが、次世代ネットワークの基盤システムとして研究されている。ＩＭＳは、国際標準化機関において標準化され、異なる網間でのサービスの相互接続を可能とする。このＩＭＳでは、ＳＩＰ（Session Initiation Protocol）によるセッション制御プロトコルを用いて、音声通信によるＩＰ電話サービスや、テレビ電話、メール送信、映像配信などのＩＰベースのマルチメディアサービスを統合して扱うことができる。
【０００３】
そして、ＩＭＳでは、通信先となる端末への着信を実現するために、着信先となる端末のＩＤ情報（具体的には、着信端末のＩＭＳＩ（International Mobile Subscriber Identity））に対応する、当該端末の収容位置情報を、ＨＳＳ（Home Subscriber Server：ホーム加入者サーバ）に予め登録しておく（非特許文献１参照）。
【先行技術文献】
【非特許文献】
【０００４】
【非特許文献１】カマリロ，ゴンザロ  他、「ＩＭＳ標準テキスト」、リックテレコム、2010年３月
【発明の概要】
【発明が解決しようとする課題】
【０００５】
しかしながら、従来、ＩＭＳに基づき通信を行う場合には、着信者に紐付けられた端末（例えば、通信事業者が契約者に対して付与する、ユーザ識別情報を付与したＳＩＭカード（Subscriber Identity Module Card）が装着された端末）でのみしかサービスを利用することができなかった。つまり、ユーザに多様なコミュニケーション手段を提供するという点においては充分ではなく、そのユーザ自身に関する情報が登録された端末のみの利用に制限されていた。特に、ユーザの近傍において、自身の端末（スマートフォン等の携帯端末）以外の共用の（不特定多数が利用可能な）コミュニケーション端末が存在したとしても、当該ユーザは、その共用のコミュニケーション端末を利用し、新たなサービスの提供を受けることはできなかった。
【０００６】
このような背景を鑑みて本発明がなされたのであり、本発明は、ユーザが備える端末の近傍に存在する共用のコミュニケーション端末への着信を可能にする、着信先解決システム、着信先解決サーバおよび着信先解決方法を提供することを課題とする。
【課題を解決するための手段】
【０００７】
前記した課題を解決するため、請求項１に記載の発明は、着信端末の位置情報を取得する位置解決サーバと、共用のコミュニケーション端末を示す共用端末を管理する共用端末管理サーバと、前記着信端末の近傍に位置する前記共用端末を着信先端末として決定する着信先決定サーバと、を備える着信先解決システムであって、前記位置解決サーバが、  前記着信端末の識別情報に対応付けて当該着信端末の位置情報が格納される着信端末位置データベースを記憶する記憶部と、発信端末から前記着信端末の識別情報が付された通信要求を受信し、前記着信端末位置データベースを参照して、前記着信端末の位置情報を検索し、前記共用端末管理サーバに送信するとともに、前記共用端末管理サーバから着信先の候補となる前記共用端末を示す共用端末情報を受信し、前記共用端末情報および前記着信端末の識別情報を含む着信先端末情報を生成し、前記着信先決定サーバに送信する着信端末位置解決部と、を備え、前記共用端末管理サーバが、前記共用端末の位置情報に対応付けて、前記共用端末のアドレス情報が格納される共用端末データベースを記憶する記憶部と、前記着信端末の位置情報を受信し、当該位置情報で示される位置と同じ位置に存在する前記共用端末を、前記共用端末データベースを参照して検索し、検索した１つ以上の共用端末の前記アドレス情報を含む前記共用端末情報を生成し、前記位置解決サーバへ送信する共用端末検索部と、を備え、前記着信先決定サーバが、前記着信先端末情報を受信すると、所定のロジックに基づき、前記１つ以上の共用端末の中から着信先端末を決定し、決定した前記共用端末に前記通信要求を送信する着信先端末決定部を備えることを特徴とする着信先解決システムとした。
【０００８】
また、請求項５に記載の発明は、着信端末の近傍に位置する、共用のコミュニケーション端末を示す共用端末を、着信先端末として決定する着信先解決サーバであって、前記着信端末の識別情報に対応付けて当該着信端末の位置情報が格納される着信端末位置データベース、および、前記共用端末の位置情報に対応付けて、前記共用端末のアドレス情報が格納される共用端末データベースを記憶する記憶部と、発信端末から前記着信端末の識別情報が付された通信要求を受信し、前記着信端末位置データベースを参照して、前記着信端末の位置情報を検索し、共用端末検索部に出力するとともに、前記共用端末検索部から着信先の候補となる前記共用端末を示す共用端末情報を受信し、前記共用端末情報および前記着信端末の識別情報を含む着信先端末情報を生成し、着信先端末決定部に出力する着信端末位置解決部と、前記着信端末の位置情報を取得し、当該位置情報で示される位置と同じ位置に存在する前記共用端末を、前記共用端末データベースを参照して検索し、検索した１つ以上の共用端末の前記アドレス情報を含む前記共用端末情報を生成し、前記着信端末位置解決部へ出力する前記共用端末検索部と、前記着信先端末情報を受信すると、所定のロジックに基づき、前記１つ以上の共用端末の中から着信先端末を決定し、決定した前記共用端末に前記通信要求を送信する前記着信先端末決定部と、を備えることを特徴とする着信先解決サーバとした。
【０００９】
また、請求項６に記載の発明は、着信端末の近傍に位置する、共用のコミュニケーション端末を示す共用端末を、着信先端末として決定する着信先解決サーバの着信先解決方法であって、前記着信先解決サーバが、前記着信端末の識別情報に対応付けて当該着信端末の位置情報が格納される着信端末位置データベース、および、前記共用端末の位置情報に対応付けて、前記共用端末のアドレス情報が格納される共用端末データベースを記憶する記憶部を備えており、発信端末から前記着信端末の識別情報が付された通信要求を受信し、前記着信端末位置データベースを参照して、前記着信端末の位置情報を検索するステップと、前記検索した着信端末の位置情報で示される位置と同じ位置に存在する前記共用端末を、前記共用端末データベースを参照して検索し、検索した１つ以上の共用端末の前記アドレス情報を含む共用端末情報を生成するステップと、前記共用端末情報および前記着信端末の識別情報を含む着信先端末情報を生成するステップと、前記着信先端末情報で示される前記１つ以上の共用端末の中から、所定のロジックに基づき着信先端末を決定し、決定した前記共用端末に前記通信要求を送信するステップと、を実行することを特徴とする着信先解決方法とした。
【００１０】
このように、着信先解決システムおよび着信先解決サーバは、着信端末の位置情報を取得し、その位置の近傍に存在する共用端末を検索して、１つ以上の共用端末の中から着信先端末を決定し、通信要求を送信することができる。よって、ユーザ（着信者）は、自身の着信端末の機能に限定されず、多様なコミュニケーション手段を容易に利用することが可能となる。
【００１１】
請求項２に記載の発明は、前記所定のロジックが、前記着信先端末決定部が、前記着信先端末情報で示される着信先端末候補の一覧を前記発信端末に送信し、その応答として着信先端末の指定情報を受信し、当該指定情報により指定された共用端末を、前記着信先端末に決定することを特徴とする請求項１に記載の着信先解決システムとした。
【００１２】
このようにすることで、着信端末の近傍に存在する共用端末の一覧を発信端末に通知し、発信者により指定された共用端末に通信要求を送信することができる。よって、発信者は、着信者の着信端末に限定されず、多様なコミュニケーション手段を選択して着信者と通信することが可能となる。
【００１３】
請求項３に記載の発明は、前記所定のロジックが、前記着信先端末決定部が、前記着信先端末情報で示される着信先端末候補の一覧を前記着信端末に送信し、その応答として着信先端末の指定情報を受信し、当該指定情報により指定された共用端末を、前記着信先端末に決定することを特徴とする請求項１に記載の着信先解決システムとした。
【００１４】
このようにすることで、着信端末の近傍に存在する共用端末の一覧を着信端末に通知し、着信者により指定された共用端末に通信要求を送信することができる。よって、着信者は、自身の着信端末に限定されず、多様なコミュニケーション手段を選択して発信者と通信することが可能となる。
【００１５】
請求項４に記載の発明は、前記共用端末データベースには、同一の位置に存在する前記共用端末それぞれに着信先として選択される優先順を示す優先度が付されており、前記共用端末管理サーバの共用端末検索部は、前記検索した１つ以上の共用端末に付された前記優先度を含めて前記共用端末情報を生成し、前記着信先決定サーバの前記着信先端末決定部は、前記所定のロジックとして、前記優先度の最も高い共用端末を、前記着信先端末に決定することを特徴とする請求項１に記載の着信先解決システムとした。
【００１６】
このように、共用端末に予め優先度を付しておくことにより、その優先度に用いて、最適な共用端末に自動で着信させることができる。つまり、発信者や着信者による共用端末の選択の手間を省くことができる。
【発明の効果】
【００１７】
本発明によれば、ユーザが備える端末の近傍に存在する共用のコミュニケーション端末への着信を可能にする、着信先解決システム、着信先解決サーバおよび着信先解決方法を提供することができる。
【図面の簡単な説明】
【００１８】
【図１】本発明の概要を説明するための図である。
【図２】本発明の第１の実施形態に係る着信先解決システムの全体構成と処理の流れを説明するための図である。
【図３】本発明の第１の実施形態に係る着信端末位置ＤＢのデータ構成の一例を示す図である。
【図４】本発明の第１の実施形態に係る共用端末ＤＢのデータ構成の一例を示す図である。
【図５】本発明の第２実施形態に係る着信先解決システムの全体構成と処理の流れを説明するための図である。
【図６】本実施形態に係る着信先解決サーバの構成例を示す機能ブロック図である。
【図７】本実施形態に係る着信先解決サーバの処理の流れを示すフローチャートである。
【発明を実施するための形態】
【００１９】
次に、本発明を実施するための形態（以下、「実施形態」という。）における着信先解決システム１０００等について説明する。
【００２０】
従来、発信端末から、ユーザを識別する端末の識別情報（例えば、電話番号）を用いてその端末（着信端末）に対し発信した場合に、例えば、通信事業者によって割り当てられた、その端末の識別情報（電話番号）が登録された着信端末のみへの着信が可能であった。本実施形態に係る着信先解決システム１０００では、図１に示すように、発信端末からの着信端末の識別情報（電話番号）が付された発信を、着信先解決システム１０００が受信すると、その着信端末の位置を検索し、検索された着信端末の位置の近傍に存在する共用のコミュニケーション端末（以下、「共用端末」と称する。）に着信可能とすることを特徴とする。
【００２１】
つまり、発信端末からある着信端末（端末Ａ：例えば、携帯電話やスマートフォン）に向けて発信が行われると、着信先解決システム１０００は、その着信端末（端末Ａ）の位置を検索し、その位置の近傍に存在する共用端末の情報を取得して、着信端末（端末Ａ）とその近傍の共用端末とのうちから選択した端末に対して着信する。ここで、共用端末は、例えば、図１に示すように、固定電話（端末Ｂ：例えば、ＩＰ電話）、ＶＲ（Virtual Reality）端末（端末Ｃ）、ウェラブル端末（端末Ｄ）等のコミュニケーション端末である。
なお、発信端末も、携帯電話やスマートフォン等に限定されず、何らかのコミュニケーション端末であればよい。発信端末が、ＶＲ（Virtual Reality）端末や、振動等により触覚を伝えるようなコミュニケーション端末の場合、ユーザ（着信者）が自身の着信端末の近傍に存在するそれらの共用端末を利用して、発信者と相互にサービスを利用することも可能となる。
また、本実施形態において、「近傍」とは、着信端末を備える着信者が、共用端末を利用可能な領域を意味し、例えば、着信端末から数メートルや数１０メートル以内、共用端末が配置される所定のエリア（建物内の１フロア、イベント会場）等である。
【００２２】
着信端末（例えば、端末Ａ）と、その近傍に存在する共用端末（端末Ｂ〜Ｄ）のうちのどの端末に着信させるかは、発信端末側（発信者）に選択させてもよいし、着信端末側（着信者）に選択させてもよい、また、着信先解決システム１０００が、予め設定されたロジックに基づき（自動で）決定してもよい（詳細は後記）。
【００２３】
このようにすることにより、本実施形態に係る着信先解決システム１０００によれば、従来のＳＩＭに割り当てられた端末のみへの着信だけでなく、着信端末の近傍に存在する共用のコミュニケーション端末（共用端末）への着信を可能にすることができる。これにより、ユーザに多様なコミュニケーション手段を容易に提供することが可能となる。
【００２４】
（第１の実施形態）
図２は、本発明の第１の実施形態に係る着信先解決システム１０００の全体構成と処理の流れを説明するための図である。
第１の実施形態は、発信端末１（１ａ）から着信端末１（１ｂ）への通信要求があった場合に、着信先解決システム１０００が、着信端末１（１ｂ）の近傍に位置する共用端末５を検索し、発信端末１（１ａ）へ通知する。そして、発信端末１（１ａ）において選択されたいずれかの共用端末５に着信させることを特徴とする。
【００２５】
＜システム構成＞
図２に示すように、本発明の第１の実施形態に係る着信先解決システム１０００は、発信側の通信端末（発信端末）１（１ａ）と、発信端末１（１ａ）からの通信要求を受信する位置解決サーバ１０と、共用端末５の情報を管理する共用端末管理サーバ２０と、着信先となる端末（着信先端末）を決定する着信先決定サーバ３０と、着信側の通信端末（着信端末）１（１ｂ）と、１つ以上の共用端末５とを含んで構成される。
【００２６】
この着信先解決システム１０００を構成する各サーバ（位置解決サーバ１０、共用端末管理サーバ２０、着信先決定サーバ３０）は、入出力部と、記憶部と、制御部と（いずれも不図示）を含んで構成されるコンピュータである。
【００２７】
入出力部は、通信回線を介して情報の送受信を行う通信インタフェースと、不図示のキーボード等の入力手段やモニタ等の出力手段等との間で情報の入出力を行う入出力インタフェースとから構成される。
記憶部は、ハードディスクやフラッシュメモリ、ＲＡＭ（Random Access Memory）等の記憶手段からなり、後記するＤＢ（DataBase：データベース）として格納される情報等を記憶する。
制御部は、各サーバ（位置解決サーバ１０、共用端末管理サーバ２０、着信先決定サーバ３０）それぞれの制御全体を司り、例えば、それぞれの記憶部に記憶されたプログラムをＣＰＵ（不図示）がメインメモリであるＲＡＭに展開し実行することで実現される。
この着信先解決システム１０００を構成する各サーバは、特徴となる以下の機能を備える。
【００２８】
≪位置解決サーバ≫
位置解決サーバ１０は、着信端末の位置情報を検索する着信端末位置解決部１０１と、着信端末の位置情報が登録される着信端末位置ＤＢ１１０とを備える（図２参照）。
着信端末位置ＤＢ１１０には、各通信端末（着信端末）１（１ｂ）の識別情報に対応付けて、その位置情報が格納される。そして、着信端末位置解決部１０１は、発信端末１（１ａ）から、着信端末１（１ｂ）の識別情報（例えば、電話番号等）が付された通信要求を受信すると、その着信端末１（１ｂ）の識別情報を用いて、着信端末位置ＤＢ１１０を参照することにより、着信端末１の位置情報を取得する。
【００２９】
この位置解決サーバ１０の機能は、例えば、着信端末位置ＤＢ１１０を、ＩＭＳにおけるＨＳＳとし、着信端末位置解決部１０１を、ＩＭＳにおけるＣＦＳＦ（Call Session Control Function：セッション管理機能）を用いて実現してもよい。
【００３０】
また、この位置解決サーバ１０の機能は、通信端末１の位置情報を取得する既存の技術を採用することにより実現してもよい。例えば、Ｗｉ−Ｆｉ（登録商標）やＧＰＳ（Global Positioning System）等を利用した測位技術により、特定の基地局（Ｗｉ−Ｆｉアクセスポイント等）の範囲内に位置する通信端末１の位置情報を取得する。
さらに、端末検知センサを用いて、数ｍから数１０ｍの範囲内の特定エリアに存在する通信端末１を探索し、その通信端末１の位置情報を着信端末位置ＤＢ１１０に格納するようにしてもよい。この端末検知センサが実行する、特定エリア内に位置する通信端末１の探索機能は既存技術であり、例えば、通信端末１から発信されるＷｉ−Ｆｉを検知するＷｉ−Ｆｉ検知センサ（例えば、「http://www.bemap.co.jp/service/lan.html」参照。）を利用して実現することができる。
【００３１】
図３は、本発明の第１の実施形態に係る着信端末位置ＤＢ１１０のデータ構成の一例を示す図である。
この着信端末位置ＤＢ１１０には、着信端末１（１ｂ）の識別情報を示す端末識別情報に対応付けて、その着信端末１（１ｂ）の位置情報が格納される。図３では、例えば、端末識別情報「+819012345678」に対応付けて、その着信端末１（１ｂ）が存在する特定エリアを示す位置情報として「Ａ−００１」が格納されている。
【００３２】
位置解決サーバ１０の着信端末位置解決部１０１は、着信端末位置ＤＢ１１０（図３）を参照することにより着信端末１（１ｂ）の位置情報を取得すると、その位置情報を、共用端末管理サーバ２０に送信する。これにより、着信端末位置解決部１０１は、着信端末１（１ｂ）の位置近傍に存在する共用端末５（共用のコミュニケーション端末）を問合せ、その応答情報（後記する、「共用端末情報」）を受信する。そして、着信端末位置解決部１０１は、その応答情報で示される共用端末５の情報と、着信端末１（１ｂ）の情報とを付した、着信先端末情報を生成して、着信先決定サーバ３０に送信する。
【００３３】
≪共用端末管理サーバ≫
共用端末管理サーバ２０は、着信端末１（１ｂ）の近傍に存在する共用端末５を検索する共用端末検索部１０２と、位置情報に紐付いて共用端末５が登録される共用端末ＤＢ１２０とを備える（図２参照）。
【００３４】
図４は、本発明の第１の実施形態に係る共用端末ＤＢ１２０のデータ構成の一例を示す図である。
この共用端末ＤＢ１２０には、各共用端末５の位置情報に対応付けて、当該共用端末５が備える機能および当該共用端末５との間で接続するためのアドレス情報（端末アドレス）が格納される。図４では、例えば、位置情報「Ａ−００１」で特定されるエリアに、機能として「audio」（音声）のサービスを実現できる、端末アドレス「fe80:1212…」の共用端末５（端末Ｂ）と、機能として「audio」（音声）、「video」（文字・静止画、動画）および「ｖｒ」（Virtual Reality）のサービスを実現できる、端末アドレス「ffff:1111…」の共用端末５（端末Ｃ）と、機能として「audio」（音声）および「video」（文字・静止画、動画）のサービスを実現する、端末アドレス「fe80:0111…」の共用端末５（端末Ｄ）と、の３つの共用端末５が、利用可能な共用端末５として格納されていることを示している。
【００３５】
共用端末検索部１０２は、位置解決サーバ１０から着信端末１（１ｂ）の位置情報が付された共用端末５の問合せを受け付けると、その位置情報を用いて、共用端末ＤＢ１２０を検索し、着信端末１（１ｂ）の近傍の共用端末５を抽出する。そして、共用端末検索部１０２は、その抽出した共用端末５の情報（機能および端末アドレス）を共用端末情報とし、問合せに対する応答として位置解決サーバ１０に送信する。
【００３６】
≪着信先決定サーバ≫
着信先決定サーバ３０は、着信端末１（１ｂ）および当該着信端末１（１ｂ）の近傍に存在する共用端末５のうちから着信先となる端末を決定する着信先端末決定部１０３ａ（１０３）を備える（図２参照）。
【００３７】
着信先端末決定部１０３ａ（１０３）は、着信端末１（１ｂ）の情報と、当該着信端末１（１ｂ）の近傍の存在する共用端末５の情報とが付された着信先端末情報を、位置解決サーバ１０から受信する。着信先端末決定部１０３ａは、その着信先端末情報で示される端末一覧を、発信端末１（１ａ）に送信する。この端末一覧には、着信端末１（１ｂ）の識別番号とともに、その着信端末１（１ｂ）の近傍に存在する共用端末５の一覧が示される。この共用端末５の一覧には、その共用端末５が備える機能や、端末アドレス等の情報が含まれ、発信端末１（１ａ）を利用する発信者等がこの端末一覧の中から着信先を指定する。
【００３８】
着信先端末決定部１０３ａは、発信端末１（１ａ）から、端末一覧のうちから発信者により指定された着信先となる端末（着信先端末）の情報（着信先端末の指定情報）を受信すると、その指定された端末（着信端末１（１ｂ）、共用端末５のいずれか）を着信先端末に決定する。そして、着信先端末決定部１０３ａは、その決定した着信先端末（ここでは、いずれかの共用端末５とする）に通信要求を送信する。
【００３９】
≪通信端末≫
通信端末（発信端末）１（１ａ，１ｂ）は、例えば、携帯電話やスマートフォン等である。ここで、発信者側の発信端末１（１ａ）は、着信先決定サーバ３０から端末一覧を受信し、画面表示させ、発信者から着信先端末の決定の入力情報を受け付け、着信先端末の指定情報として着信先決定サーバ３０に送信する機能（着信先端末指定機能）を備える。なお、発信端末１（１ａ）は、この着信先端末指定機能を、例えば、不図示のアプリケーション提供サーバからダウンロードすることにより取得すればよい。
【００４０】
≪共用端末≫
共用端末（共用のコミュニケーション端末）５は、例えば、共用のコミュニケーション端末５を提供するサービス提供事業者により、ある特定のエリアに予め設置され、共用端末管理サーバ２０の共用端末ＤＢ１２０に登録される。この特定のエリアは、特に限定するものではないが、イベント会場であったり、駅、図書館、市役所等の公共施設であったり、遊園地等のアミューズメント施設であってもよい。着信端末１（ｂ）を備えるユーザ（着信者）が、共用端末５が設置されている特定のエリアに移動してきたときに、この共用端末５を利用したサービスの提供を受けることができる。
【００４１】
＜処理の流れ＞
次に、図２を参照して、第１の実施形態に係る着信先解決システム１０００の処理の流れを説明する。
【００４２】
まず、位置解決サーバ１０の着信端末位置解決部１０１は、発信端末１（１ａ）から着信端末１（１ｂ）への通信要求を受信すると（ステップＳ１）、着信端末位置ＤＢ１１０を検索し（ステップＳ２）、当該着信端末１（１ｂ）の位置情報（「着信端末位置情報」と称する。）を取得する。
【００４３】
続いて、着信端末位置解決部１０１は、取得した着信端末位置情報を共用端末管理サーバ２０に送信することにより、着信端末１（１ｂ）の位置の近傍に存在する共用端末５の情報を問い合せる（ステップＳ３）。
【００４４】
次に、共用端末管理サーバ２０の共用端末検索部１０２は、共用端末ＤＢ１２０を検索し（ステップＳ４）、着信端末位置情報で示される位置の近傍に存在する共用端末５を抽出することにより共用端末情報（共用端末５それぞれの機能および端末アドレスを示す情報）を生成する。そして、共用端末検索部１０２は、生成した共用端末情報を、位置解決サーバ１０に問合せに対する応答として送信する（ステップＳ５）。共用端末情報を受信した位置解決サーバ１０の着信端末位置解決部１０１は、その共用端末情報に着信端末１（１ｂ）の情報を付した着信先端末情報を生成し、着信先決定サーバ３０に送信する（ステップＳ６）。
【００４５】
着信先決定サーバ３０の着信先端末決定部１０３ａ（１０３）は、受信した着信先端末情報で示される着信先端末候補の一覧（図２において「端末一覧」と記載する。）を、発信端末１（１ａ）に通知する（ステップＳ７ａ）。着信先端末決定部１０３ａは、発信端末１（１ａ）が発信者からの入力情報として受け付けた、着信先に指定する端末の情報（着信先端末の指定情報）を受信して（ステップＳ８ａ）、その指定情報に示される端末を着信先端末として決定する。そして、着信先端末決定部１０３ａは、決定した着信先端末となる共用端末５に、通信要求を送信する（ステップＳ９）。
【００４６】
このようにすることで、本発明の第１の実施形態に係る着信先解決システム１０００によれば、着信端末１（１ｂ）の位置情報を取得し、その位置の近傍に存在する共用端末５の一覧を発信端末１（１ａ）に通知し、発信者により指定された共用端末５に通信要求を送信することができる。これにより、着信端末１（１ｂ）の近傍に存在する共用端末５において着信することが可能となるため、ユーザに多様なコミュニケーション手段を容易に提供することが可能となる。
【００４７】
（第２の実施形態）
次に、本発明の第２実施形態について説明する。
図５は、本発明の第２実施形態に係る着信先解決システム１０００の全体構成と処理の流れを説明するための図である。
図２に示した、本発明の第１の実施形態に係る着信先解決システム１０００との違いは、着信先決定サーバ３０が、着信先端末決定部１０３ａではなく、着信先端末決定部１０３ｂを備えることである。
【００４８】
第２の実施形態に係る着信先決定サーバ３０の着信先端末決定部１０３ｂ（１０３）は、着信端末１（１ｂ）の情報と、当該着信端末１（１ｂ）の近傍に存在する共用端末５の情報とが付された着信先端末情報を、位置解決サーバ１０から受信した場合に、その着信先端末情報で示される端末一覧を、着信端末１（１ｂ）に送信する。そして、着信先端末決定部１０３ｂは、着信端末１（１ｂ）を利用する着信者により指定された着信先となる端末（着信先端末）の情報（着信先端末の指定情報）を受信し、その指定された端末（着信端末１（１ｂ）、共用端末５のいずれか）を着信先端末に決定することを特徴する。そして、着信先端末決定部１０３ｂは、その決定した着信先端末（ここでは、いずれかの共用端末５とする）に通信要求を送信する。
【００４９】
ここで、着信者側の着信端末１（１ｂ）は、着信先決定サーバ３０から端末一覧を受信し、画面表示させ、着信者から着信先端末の決定の入力情報を受け付け、着信先端末の指定情報として着信先決定サーバ３０に送信する機能（着信先端末指定機能）を備える。なお、発信端末１（１ｂ）は、この着信先端末指定機能を、例えば、不図示のアプリケーション提供サーバからダウンロードすることにより取得すればよい。
【００５０】
＜処理の流れ＞
次に、図５を参照して、第２の実施形態に係る着信先解決システム１０００の処理の流れを説明する。
なお、ステップＳ１〜Ｓ６までは、図２に示した第１の実施形態に係る着信先解決システム１０００と同様であるので、ここでの説明は省略する。
【００５１】
着信先決定サーバ３０の着信先端末決定部１０３ｂ（１０３）は、位置解決サーバ１０から着信先端末情報を受信すると、受信した着信先端末情報で示される着信先端末候補の一覧（図５において「端末一覧」と記載する。）を、着信端末１（１ｂ）に通知する（ステップＳ７ｂ）。着信先端末決定部１０３ｂは、着信端末１（１ｂ）が着信者からの入力情報として受け付けた、着信先に指定する端末の情報（着信先端末の指定情報）を受信して（ステップＳ８ｂ）、その指定情報に示される端末を着信先端末として決定する。そして、着信先端末決定部１０３ｂは、決定した着信先端末となる共用端末５に、通信要求を送信する（ステップＳ９）。
【００５２】
このようにすることで、本発明の第２の実施形態に係る着信先解決システム１０００によれば、着信端末１（１ｂ）の位置情報を取得し、その位置の近傍に存在する共用端末５の一覧を着信端末１（１ｂ）に通知し、着信者により指定された共用端末５に通信要求を送信することができる。これにより、着信端末１（１ｂ）の近傍に存在する共用端末５において着信することが可能となるため、ユーザに多様なコミュニケーション手段を容易に提供することが可能となる。
【００５３】
（着信先解決システムの変形例）
次に、本発明の実施形態に係る着信先解決システム１０００の変形例について説明する。
第１の実施形態および第２の実施形態においては、発信端末１（１ａ）または着信端末１（１ｂ）から着信先端末の指定情報を着信先決定サーバ３０の着信先端末決定部１０３（１０３ａ，１０３ｂ）が受信することにより、着信先端末を決定している。これ以外にも、着信先解決システム１０００は、以下に示す手法により、複数の共用端末５のうちから、着信先端末を決定するようにすることができる。
【００５４】
〔共用端末の優先度に基づく決定〕
着信先決定サーバ３０の着信先端末決定部１０３は、共用端末５に付された優先度に基づき、着信先端末を決定する。
具体的には、共用端末管理サーバ２０の共用端末ＤＢ１２０において、同じ位置情報で示されるエリア（同一エリア）に存在する複数の共用端末５に対し、当該共用端末５を登録する際に、サービス提供事業者が予め各共用端末５に優先度（例えば、優先度が高い順（優先順）に、「１」「２」「３」…とする。）を付して登録しておく。そして、共用端末管理サーバ２０は、その優先度を付した共用端末情報を、位置解決サーバ１０を介して着信先決定サーバ３０に送信する。着信先決定サーバ３０の着信先端末決定部１０３は、各共用端末５に付された優先度を参照し、最も優先度の高い共用端末５を着信先端末に決定し、通信要求を送信する。
【００５５】
その他にも、例えば、発信端末１（１ａ）からの通信要求に発信端末１（１ａ）が対応可能な機能に関する情報を含めて送信するようにし、着信先決定サーバ３０の着信先端末決定部１０３が、発信端末１（１ａ）が対応可能な機能を備える共用端末５を選択して、着信先端末に決定するようにしてもよい。例えば、発信端末１（１ａ）が対応可能な機能が、「audio」（音声）および「video」（文字・静止画、動画）である場合には、それと同様の機能を備える共用端末５を選択する。「ｖｒ」（Virtual Reality）の機能を備える発信端末１（１ａ）からの通信要求である場合には、「ｖｒ」（Virtual Reality）の機能を備える共用端末５を選択して、着信先端末に決定するようにする。
【００５６】
このようにすることにより、本実施形態の変形例に係る着信先解決システムによれば、システム側において自動で最適な共用端末５に着信させることができる。つまり、発信者や着信者による共用端末５の選択の手間を省くことができる。
【００５７】
（着信先解決サーバ）
上記した第１の実施形態および第２の実施形態においては、本発明に係る機能を複数のサーバが備える着信先解決システム１０００として説明した。
しかし、本発明はこれらに限定されず、第１の実施形態および第２の実施形態において示した機能を、１つの筺体としてまとめた着信先解決サーバ１００として実現してもよい。
【００５８】
図６は、本実施形態に係る着信先解決サーバ１００の構成例を示す機能ブロック図である。
図６に示すように、着信先解決サーバ１００は、図２および図５において、位置解決サーバ１０、共用端末管理サーバ２０および着信先決定サーバ３０のそれぞれが備えていた機能を、まとめて備えている。
具体的には、着信先解決サーバ１００の制御部１１に、着信端末位置解決部１０１と、共用端末検索部１０２と、着信先端末決定部１０３と備え、記憶部１３に、着信端末位置ＤＢ１１０と、共用端末ＤＢ１２０とを備える。各構成が備える機能は、第１の実施形態および第２の実施形態においてシステムとして処理していた内容を１つの装置の中で実現するものであり、同等の内容であるので、ここでの説明は省略する。
【００５９】
＜処理の流れ＞
次に、図７を参照して、本実施形態に係る着信先解決サーバ１００の処理の流れを説明する。
図７は、本実施形態に係る着信先解決サーバ１００の処理の流れを示すフローチャートである。
【００６０】
まず、着信先解決サーバ１００の着信端末位置解決部１０１は、発信端末１（１ａ）から着信端末１（１ｂ）への通信要求を受信すると（ステップＳ１１）、着信端末位置ＤＢ１１０（図３参照）を検索し（ステップＳ１２）、当該着信端末１（１ｂ）の位置情報（着信端末位置情報）を取得する。
【００６１】
続いて、着信端末位置解決部１０１は、取得した着信端末位置情報を、共用端末検索部１０２に出力することにより、着信端末１（１ｂ）の位置の近傍にある共用端末５の情報を問い合せる（ステップＳ１３）。
【００６２】
次に、共用端末検索部１０２は、共用端末ＤＢ１２０（図４参照）を検索し（ステップＳ１４）、着信端末位置情報で示される位置の近傍に存在する共用端末５を抽出することにより共用端末情報（共用端末５それぞれの機能および端末アドレスを示す情報）を生成する。そして、共用端末検索部１０２は、生成した共用端末情報を、着信端末位置解決部１０１に、問合せに対する応答として出力する（ステップＳ１５）。共用端末情報を受信した着信端末位置解決部１０１は、その共用端末情報に着信端末１（１ｂ）の情報を付した着信先端末情報を生成し、着信先端末決定部１０３に出力する（ステップＳ１６）。
【００６３】
着信先端末決定部１０３は、着信先端末情報を受信すると、所定のロジックに基づき、その着信先端末情報で示される着信先端末候補の一覧（端末一覧）の中から着信先端末を決定する（ステップＳ１７）。なお、ここでは、共用端末５の中から着信先端末が決定されるものとする。そして、着信先端末決定部１０３は、決定した着信先端末となる共用端末５に、通信要求を送信する（ステップＳ１８）。
【００６４】
ステップＳ１７において、着信先端末決定部１０３が所定のロジックに基づき着信先端末を決定する処理は、第１の実施形態と同様に、発信端末１（１ａ）に着信先端末候補の一覧（端末一覧）を通知して、着信先端末の指定情報を受信することにより決定してもよいし、第２の実施形態と同様に、着信端末１（１ｂ）に着信先端末候補の一覧（端末一覧）を通知して、着信先端末の指定情報を受信することにより決定してもよい。また、着信先端末決定部１０３が、共用端末５に付された優先度等に基づき、着信先端末を決定するようにしてもよい。
【００６５】
このようにすることで、本実施形態に係る着信先解決サーバ１００によれば、着信端末１（１ｂ）の位置情報を取得し、その位置の近傍に存在する共用端末５の一覧を取得し、所定のロジックに基づき着信先端末を決定した上で、その決定した共用端末５に通信要求を送信することができる。これにより、着信端末１（１ｂ）の近傍に存在する共用端末５において着信することが可能となるため、ユーザに多様なコミュニケーション手段を容易に提供することが可能となる。
【００６６】
本発明は、上記実施形態に限定されることなく、本発明の趣旨を逸脱しない範囲で、変更実施が可能である。
（ａ）図２に示した第１の実施形態および図５に示した第２の実施形態においては、着信端末位置解決部１０１と着信端末位置ＤＢ１１０とを１つの位置解決サーバ１０が備える構成としたが、着信端末位置解決部１０１、着信端末位置ＤＢ１１０をそれぞれ独立したサーバとして構成するようにしてもよい。同様に、共用端末検索部１０２と共用端末ＤＢ１２０とを１つの共用端末管理サーバ２０が備える構成としたが、共用端末検索部１０２、共用端末ＤＢ１２０をそれぞれ独立したサーバとして構成するようにしてもよい。
【００６７】
（ｂ）本実施形態においては、着信端末位置解決部１０１が、発信端末１（１ａ）から受信する着信端末１（１ｂ）の識別情報として、電話番号を例として説明した。しかしながら、着信端末１（１ｂ）の識別番号は、電話番号に限定されず、ＳＮＳ（Social Networking Service）等の他のサービスのＩＤ情報でもよい。
【００６８】
（ｃ）図２に示した第１の実施形態および図５に示した第２の実施形態においては、発信端末１（１ａ）または着信端末１（１ｂ）が、着信先端末決定部１０３から端末一覧を受信して画面表示させ、着信先端末の決定の入力情報を受け付け、着信先端末の指定情報を返信するものとして説明した。しかしながら、着信先解決システム１０００にメディアサーバを備えさせ、着信先端末決定部１０３が、メディアサーバに指示することにより、着信先端末の候補となる共用端末５等に関する音声情報を、発信端末１（１ａ）または着信端末１（１ｂ）に送信し、発信者または着信者による端末ボタンの押し下げ情報を受信して、着信先端末を指定するようにしてもよい。
【００６９】
（ｄ）本実施形態においては、発信端末１（１ａ）が、着信端末１（１ｂ）に対して通信要求を単に発信するものとして説明したが、発信端末１（１ａ）が通信要求を発信する際に、着信先端末として希望する共用端末５の機能（例えば、「ｖｒ」（Virtual Reality）の機能）を指定し、その機能の指定情報を含めて通信要求を着信端末位置解決部１０１に送信するようにしてもよい。これにより、着信先端末決定部１０３は、発信者により指定された機能を備えた共用端末５の中から着信先端末を決定することができる。
【符号の説明】
【００７０】
１      通信端末
１ａ    発信端末
１ｂ    着信端末
５      共用端末
１０    位置解決サーバ
１１    制御部
１２    入出力部
１３    記憶部
２０    共用端末管理サーバ
３０    着信先決定サーバ
１００  着信先解決サーバ
１０１  着信端末位置解決部
１０２  共用端末検索部
１０３  着信先端末決定部
１１０  着信端末位置ＤＢ
１２０  共用端末ＤＢ
１０００  着信先解決システム
【図１】
2017157896.tif 000003
【図２】
2017157896.tif 000004
【図３】
2017157896.tif 000005
【図４】
2017157896.tif 000006
【図５】
2017157896.tif 000007
【図６】
2017157896.tif 000008
【図７】
2017157896.tif 000009